(57)【要約】【課題】  作業者にとって、清掃部材５７２を画像形成装置１本体の外側から差し込み部７００に差し込み、装置本体の内部に設けられた光プリントヘッド１０５の第１被係合部（間隙）５７９に清掃部材５７２の先端側に形成された係合部５７６を係合させることは容易でない。【解決手段】  作業者によって差し込み部７００に差し込まれた清掃部材５７２の差し込み部７００から第１被係合部５７９へと向かう方向への移動を案内し、係合部５７６を第１被係合部５７９に係合させるために、当該係合部５７６が係合する第２被係合部９２０を第１被係合部５７９と差し込み部７００との間に設ける。【選択図】  図９
2019098709.tif 000002
【特許請求の範囲】
【請求項１】
回転可能に支持された感光ドラムを備える画像形成装置において、
前記感光ドラムを露光するための光を出射する発光素子と、
前記光を前記感光ドラムに集光するレンズアレイと、
前記発光素子よりも前記感光ドラムが配置されている側で前記レンズアレイを保持する保持体と、
前記レンズアレイよりも前記感光ドラムの回転軸線方向における画像形成装置本体の一方側に設けられた差し込み部であって、前記レンズアレイの光出射面を摺擦し清掃する摺擦部を有する棒状の清掃部材が画像形成装置本体の外側から差し込まれる前記差し込み部と、
前記保持体に設けられ、前記摺擦部に前記レンズアレイの光出射面を摺擦させるために、前記清掃部材に形成された係合部が係合し前記清掃部材の移動を案内する第１被係合部と、
前記回転軸線方向において前記第１被係合部と前記差し込み部との双方と間隙をあけて前記第１被係合部と前記差し込み部との間に設けられた第２被係合部であって、前記係合部を前記第１被係合部に係合させるために、前記係合部が係合し前記差し込み部から前記第１被係合部へと向かう方向への前記清掃部材の移動を案内する第２被係合部と、を備えることを特徴とする画像形成装置。
【請求項２】
前記保持体は、前記回転軸線方向と前記レンズアレイが備えるレンズの光軸方向との双方に垂直な方向における前記レンズアレイの一方側の側壁面に対向する対向面を有する第１対向部と、前記垂直な方向における前記レンズアレイの他方側の側壁面に対向する対向面を有する第２対向部と、を備え、
前記レンズアレイを把持する把持機構に把持された状態で前記第１対向部と前記第２対向部との間に挿入され、前記保持体に固定される前記レンズアレイの前記保持体に対する位置が調整されるために、前記回転軸線方向における前記レンズアレイの一端側の両側壁面と他端側の両側壁面とは、前記第１対向部および前記第２対向部の双方の前記回転軸線方向における端部からそれぞれ露出していることを特徴とする請求項１に記載の画像形成装置。
【請求項３】
前記第１被係合部は前記第１対向部と前記第２対向部とに形成されていることを特徴とする請求項２に記載の画像形成装置。
【請求項４】
前記第２被係合部は前記保持体に形成されていることを特徴とする請求項１から請求項３のいずれか１項に記載の画像形成装置。
【請求項５】
前記回転軸線方向における前記レンズアレイの一端側の端部は、前記回転軸線方向において前記第１被係合部と前記第２被係合部との間に位置することを特徴とする請求項１から請求項４のいずれか１項に記載の画像形成装置。
【請求項６】
前記第１被係合部は前記回転軸線方向における前記保持体の一端側から他端側に亘って設けられていることを特徴とする請求項１から請求項５のいずれか１項に記載の画像形成装置。
【請求項７】
前記差し込み部から前記第１被係合部へと向かう方向に移動される前記清掃部材において、前記係合部は前記第２被係合部に係合した状態で前記第１被係合部に係合することを特徴とする請求項１から請求項６のいずれか１項に記載の画像形成装置。
【請求項８】
前記第１被係合部と前記第２被係合部とは前記係合部が係合する溝であって、前記第１被係合部と前記第２被係合部とは前記回転軸線方向において同一直線上に位置することを特徴とする請求項１から請求項７のいずれか１項に記載の画像形成装置。
【請求項９】
前記回転軸線方向における前記第１被係合部の一端側は、前記第２被係合部に近付くほど溝の幅が広くなるように傾斜していることを特徴とする請求項８に記載の画像形成装置。
【請求項１０】
前記回転軸線方向における前記第２被係合部の一端側は、前記差し込み部に近付くほど溝の幅が広くなるように傾斜していることを特徴とする請求項８または請求項９に記載の画像形成装置。
【請求項１１】
前記差し込み部は前記清掃部材が差し込まれる開口であって、当該差し込み部に差し込まれた前記清掃部材は、前記回転軸線方向に対して垂直な方向への移動が制限された状態で前記差し込み部から前記第１被係合部へと向かう方向に移動され、前記係合部が前記第２被係合部に係合することを特徴とする請求項１から請求項１０のいずれか１項に記載の画像形成装置。
【請求項１２】
前記差し込み部は画像形成装置本体に固定されていることを特徴とする請求項１から請求項１１のいずれか１項に記載の画像形成装置。
【発明の詳細な説明】
【技術分野】
【０００１】
本発明は、光プリントヘッドが備えるレンズアレイの光出射面を容易に清掃することができる画像形成装置に関する。
【背景技術】
【０００２】
プリンタや複写機等の画像形成装置の中には、感光ドラムを露光するための複数の発光素子を備える光プリントヘッドを有するものがある。光プリントヘッドには、発光素子の例としてＬＥＤ（Ｌｉｇｈｔ  Ｅｍｉｔｔｉｎｇ  Ｄｉｏｄｅ）や有機ＥＬ（Ｅｌｅｃｔｒｏ  Ｌｕｍｉｎｅｓｃｅｎｃｅ）等を用いるものがあり、これらの発光素子が感光ドラムの回転軸線方向に沿って、例えば一列や千鳥状の二列に複数配列されたものが知られている。また、光プリントヘッドは、複数の発光素子から出射される光を感光ドラムに集光させるための複数のレンズを備える。複数のレンズは、複数の発光素子と感光ドラムとの間において、発光素子の配列方向に沿うように感光ドラム表面に対向して配置される。
【０００３】
画像形成装置において、光プリントヘッドのような露光手段は帯電器と現像器との間に設けられることがある。装置の小型化を実現するためには、感光ドラムや光プリントヘッド、帯電器、現像器等の相互間の距離を可能な限り近付けることが有効な手段である。このことから、光プリントヘッドが有するレンズアレイの光出射面が、感光ドラムや現像器から落下したトナーによって汚れるという問題があった。レンズアレイが汚れることで、発光素子から出射される光が部分的に遮光され、出力画像の画質低下が起こる虞がある。そこで、レンズアレイの光出射面が汚れることを防ぐため、特許文献１や特許文献２に記載のような清掃手段が提案されている。
【０００４】
特許文献１に記載の画像形成ユニット１１は、感光体ドラム１２とＬＰＨ１４（光プリントヘッド）とを保持する匡体の一例としてハウジング１９を備える。ハウジング１９には、当該ハウジング１９の外側から内側へと貫通する開口である挿入口６０（差し込み部）が形成されている。ユーザやサービスマン等の作業者は、清掃部材５０（清掃部材）を、挿入口６０に通してＬＰＨ１４と感光体ドラム１２との間に挿入し、ロッドレンズアレイ４３（レンズアレイ）の光射出面の清掃を行う。
【０００５】
また、特許文献２に記載のＬＥＤプリントヘッド３０（光プリントヘッド）は、ヘッド本体３１に、清掃機構８０（清掃部材）を備える。ヘッド本体３１の左右両側には、清掃機構８０の移動を案内するガイド溝３７（被係合部）が形成されている。清掃機構８０の先端には、ガイド溝３７に係合する係合部８２（係合部）と、ロッドレンズアレイ３３（レンズアレイ）の光出射面３８を清掃するクリーニングパッド８０Ｂ（摺擦部）とが設けられている。作業者が清掃機構８０を装置本体に対して抜き差しすると、係合部８２がガイド溝３７に沿って移動し、クリーニングパッド８０Ｂが光出射面３８を拭って汚れを除去する。
【先行技術文献】
【特許文献】
【０００６】
【特許文献１】特開２０１０−２３０９５４号公報
【特許文献２】特開２００７−７２３２１号公報
【発明の概要】
【発明が解決しようとする課題】
【０００７】
しかしながら、特許文献１および特許文献２の構成には以下のような課題があった。特許文献１に開示の構成のように、差し込み部とレンズアレイとは互いに離れて配置されている。差し込み部とレンズアレイとの間に、差し込み部に差し込まれた清掃部材の移動を案内する部分は存在しない。清掃部材は若干の遊びをもって差し込み部に差し込まれることに加え、清掃部材の移動は作業者の手作業で行われるため、清掃部材の移動経路は手の動作によって様々な経路を取り得る。ここで、特許文献２に開示の構成を参考にして、差し込み部に差し込まれた清掃部材が、光プリントヘッドに形成された被係合部に係合する構成を考える。このような構成では、差し込み部と被係合部との間に清掃部材の移動を案内する部分が存在しなかった場合、清掃部材の移動経路によっては、清掃部材が被係合部に係合しない虞がある。
【課題を解決するための手段】
【０００８】
上記課題に対して、本願発明の画像形成装置は、回転可能に支持された感光ドラムと、前記感光ドラムを露光するための光を出射する発光素子と、前記光を前記感光ドラムに集光するレンズアレイと、前記発光素子よりも前記感光ドラムが配置されている側で前記レンズアレイを保持する保持体と、前記レンズアレイよりも前記感光ドラムの回転軸線方向における画像形成装置本体の一方側に設けられた差し込み部であって、前記レンズアレイの光出射面を摺擦し清掃する摺擦部を有する棒状の清掃部材が画像形成装置本体の外側から差し込まれる前記差し込み部と、前記保持体に設けられ、前記摺擦部に前記レンズアレイの光出射面を摺擦させるために、前記清掃部材に形成された係合部が係合し前記清掃部材の移動を案内する第１被係合部と、前記回転軸線方向において前記第１被係合部と前記差し込み部との双方と間隙をあけて前記第１被係合部と前記差し込み部との間に設けられた第２被係合部であって、前記係合部を前記第１被係合部に係合させるために、前記係合部が係合し前記差し込み部から前記第１被係合部へと向かう方向への前記清掃部材の移動を案内する第２被係合部と、を備えることを特徴とする。
【発明の効果】
【０００９】
本発明によれば、清掃部材に形成された係合部が第１被係合部に係合するように、第１被係合部と差し込み部との間に設けられた第２被係合部が、差し込み部に差し込まれた清掃部材の移動を案内する。
【図面の簡単な説明】
【００１０】
【図１】画像形成装置の概略断面図。
【図２】画像形成装置におけるドラムユニット周囲の斜視図。
【図３】露光ユニットの概略斜視図。
【図４】光プリントヘッドの基板、ＬＥＤチップ、およびレンズアレイを説明するための概略図。
【図５】レンズアレイ及び基板を不図示とした保持体を説明するための概略図。
【図６】支持部の形状の特徴を説明するための概略図。
【図７】清掃部材および清掃部材を差し込み部に差し込まれた状態を説明する図。
【図８】清掃部材の先端側の構造について説明するための図。
【図９】案内部について説明するための図。
【図１０】支持部の構造について説明するための図。
【図１１】比較例を説明するための図。
【発明を実施するための形態】
【００１１】
以下に本発明を実施するにあたり好ましい実施の形態を、添付の図面を用いて説明する。ただし、本説明に記載されている構成要素はあくまでも例示であり、本発明を本説明に記載した実施の形態だけに限るものではない。
【００１２】
（画像形成装置）
まず、画像形成装置１の概略構成を説明する。図１（ａ）は画像形成装置１の概略断面図である。図１（ａ）に示す画像形成装置１は読取装置を備えていないカラープリンタ（ＳＦＰ：Ｓｉｎｇｌ  Ｆｕｎｃｔｉｏｎ  Ｐｒｉｎｔｅｒ）であるが、実施の形態は読取装置を備える複写機であってもよい。また、実施の形態は、図１（ａ）に示すような複数の感光ドラム１０３を備えるカラー画像形成装置に限られず、１つの感光ドラム１０３を備えるカラー画像形成装置やモノクロ画像を形成する画像形成装置でも良い。
【００１３】
図１（ａ）に示す画像形成装置１は、イエロー、マゼンタ、シアン、ブラックの各色のトナー像を形成する４基の画像形成部１０２Ｙ、１０２Ｍ、１０２Ｃ、１０２Ｋ（以下、総称して単に「画像形成部１０２」とも称する）を備える。また、画像形成部１０２Ｙ、１０２Ｍ、１０２Ｃ、１０２Ｋは、それぞれ感光ドラム１０３Ｙ、１０３Ｍ、１０３Ｃ、１０３Ｋ（以下、総称して単に「感光ドラム１０３」とも称する）を備える。また、画像形成部１０２Ｙ、１０２Ｍ、１０２Ｃ、１０２Ｋは、感光ドラム１０３Ｙ、１０３Ｍ、１０３Ｃ、１０３Ｋをそれぞれ帯電させる帯電器１０４Ｙ、１０４Ｍ、１０４Ｃ、１０４Ｋ（以下、総称して単に「帯電器１０４」とも称する）を備える。また、画像形成部１０２Ｙ、１０２Ｍ、１０２Ｃ、１０２Ｋは、感光ドラム１０３Ｙ、１０３Ｍ、１０３Ｃ、１０３Ｋを露光する光を出射する露光光源としてのＬＥＤ（Ｌｉｇｈｔ  Ｅｍｉｔｔｉｎｇ  Ｄｉｏｄｅ、以下ＬＥＤと記載）露光ユニット５００Ｙ、５００Ｍ、５００Ｃ、５００Ｋ（以下、総称して単に「露光ユニット５００」とも称する）を備える。さらに、画像形成部１０２Ｙ、１０２Ｍ、１０２Ｃ、１０２Ｋは、感光ドラム１０３上の静電潜像をトナーによって現像し、感光ドラム１０３上に各色のトナー像を現像する現像器１０６Ｙ、１０６Ｍ、１０６Ｃ、１０６Ｋ（以下、総称して単に「現像器１０６」とも称する）を備える。なお、符号に付されたＹ、Ｍ、Ｃ、Ｋはトナーの色を示している。
【００１４】
図１（ａ）に示す画像形成装置１は感光ドラム１０３を下方から露光する、いわゆる「下面露光方式」を採用する画像形成装置である。以下、下面露光方式を採用する画像形成装置を前提として説明を進めるが、実施の形態としては図１（ｂ）に示す画像形成装置２のような感光ドラム１０３を上方から露光する「上面露光方式」を採用する画像形成装置でも構わない。
【００１５】
画像形成装置１は、感光ドラム１０３に形成されたトナー像が転写される中間転写ベルト１０７と、感光ドラム１０３に形成されたトナー像を当該中間転写ベルトに順次転写させる一次転写ローラ１０８（Ｙ、Ｍ、Ｃ、Ｋ）を備える。また、画像形成装置１は、中間転写ベルト１０７上のトナー像を給紙部１０１から搬送されてきた記録紙Ｐに転写させる二次転写ローラ１０９と、二次転写された画像を記録紙Ｐに定着させる定着器１００を備える。
【００１６】
（画像形成プロセス）
露光ユニット５００Ｙは帯電器１０４Ｙによって帯電された感光ドラム１０３Ｙの表面を露光する。これにより、感光ドラム１０３Ｙには静電潜像が形成される。次に、現像器１０６Ｙは感光ドラム１０３Ｙに形成された静電潜像をイエローのトナーによって現像する。感光ドラム１０３Ｙの表面に現像されたイエローのトナー像は、一次転写ローラ１０８Ｙによって中間転写ベルト１０７上に転写される。マゼンタ、シアン、ブラックのトナー像も同様の画像形成プロセスで中間転写ベルト１０７に転写される。
【００１７】
中間転写ベルト１０７上に転写された各色のトナー像は、中間転写ベルト１０７によって二次転写部Ｔ２まで搬送される。二次転写部Ｔ２に配置された二次転写ローラ１０９にはトナー像を記録紙Ｐに転写するための転写バイアスが印加されている。二次転写部Ｔ２まで搬送されたトナー像は、二次転写ローラ１０９の転写バイアスによって、給紙部１０１から搬送されてきた記録紙Ｐに転写される。トナー像が転写された記録紙Ｐは定着器１００に搬送される。定着器１００は、熱と圧力によって記録紙Ｐにトナー像を定着させる。定着器１００によって定着処理がなされた記録紙Ｐは、排紙部１１１に排出される。
【００１８】
（ドラムユニットおよび現像ユニット）
本実施例の画像形成装置１には交換可能な交換ユニットの一例であるドラムユニット５１８Ｙ、５１８Ｍ、５１８Ｃ、５１８Ｋ（以下、総称して単に「ドラムユニット５１８」とも称する）が取り付けられる。ドラムユニット５１８は、ユーザやメンテナンス者等の作業者によって交換されるカートリッジである。本実施例のドラムユニット５１８は感光ドラム１０３を回転可能に支持している。具体的には、感光ドラム１０３は、ドラムユニット５１８の枠体に対して回転可能に支持されている。なお、ドラムユニット５１８は帯電器１０４やクリーニング装置を備えてない構成でも構わない。
【００１９】
また、本実施例の画像形成装置１にはドラムユニット５１８とは別体の現像ユニット６４１Ｙ、６４１Ｍ、６４１Ｃ、６４１Ｋ（以下、総称して単に「現像ユニット６４１」とも称する）が取り付けられている。本実施例の現像ユニット６４１は、図１（ａ）に示す現像器１０６とトナー収容部とが一体化されたカートリッジである。現像器１０６は、現像剤を担持する現像剤担持体であるところの現像スリーブを備える。現像ユニット６４１にはトナーとキャリアを攪拌するためのスクリュを回転させるためのギアが複数設けられている。これらのギアが経年劣化等した際には、作業者が現像ユニット６４１を画像形成装置１の装置本体から取り外して交換する。なお、ドラムユニット５１８および現像ユニット６４１の実施の形態は、上記ドラムユニット５１８と現像ユニット６４１が一体化されたプロセスカートリッジでも構わない。
【００２０】
図２（ａ）は、画像形成装置１が備えるドラムユニット５１８周辺および現像ユニット６４１周辺の概略構造を示す斜視図である。また、図２（ｂ）はドラムユニット５１８が装置本体の外側から画像形成装置１に挿入されている様子を示す図である。
【００２１】
図２（ａ）に示すように画像形成装置１は、板金で形成される前側板６４２と、同じく板金で形成される後側板６４３を備える。前側板６４２は画像形成装置１の前側に設けられた側壁である。後側板６４３は画像形成装置１の後ろ側に設けられた側壁である。図２（ａ）に示すように、前側板６４２と後側板６４３は対面して配置され、両者の間には梁としての不図示の板金が橋架されている。前側板６４２と後側板６４３と不図示の梁とはそれぞれ画像形成装置１の枠体の一部を構成する。
【００２２】
画像形成装置１の前側からドラムユニット５１８、および現像ユニット６４１を挿抜できるように、前側板６４２には開口が形成されている。ドラムユニット５１８、および現像ユニット６４１は、開口を介して画像形成装置１本体の所定の位置に装着される（装着位置）。また、画像形成装置１は、装着位置に装着されたドラムユニット５１８と現像ユニット６４１の双方の前側を覆うカバー５５８Ｙ、５５８Ｍ、５５８Ｃ、５５８Ｋ（以下、総称して単に「カバー５５８」とも称する）を備える。カバー５５８は、一端がヒンジによって画像形成装置１本体に固定されており、ヒンジによって画像形成装置１本体に対して回動可能となっている。作業者がカバー５５８を開いて本体内のドラムユニット５１８あるいは現像ユニット６４１を取り出し、新しいドラムユニット５１８あるいは現像ユニット６４１を挿入してカバー５５８を閉じることによって交換作業が完了する。
【００２３】
ここで、図２（ａ）および図２（ｂ）に示すように、以下の説明では装置本体に対して前側板６４２側を前側、後側板６４３側を後側と定義する。また、ブラックのトナー像に関する静電潜像が形成される感光ドラム１０３Ｋを基準としたとき、イエローのトナー像に関する静電潜像が形成される感光ドラム１０３Ｙが配置されている側を右側と定義する。イエローのトナー像に関する静電潜像が形成される感光ドラム１０３Ｙを基準としたとき、ブラックのトナー像に関する静電潜像が形成される感光ドラム１０３Ｋが配置されている側を左側と定義する。さらに、ここで定義した前後方向および左右方向に垂直な方向であって鉛直方向上向きを上方向、また、ここで定義した前後方向および左右方向に垂直な方向であって鉛直方向下向きを下方向と定義する。定義した前方向、後方向、右方向、左方向、上方向、下方向を図２に示す。また、以下の本文で記載する感光ドラム１０３の回転軸線方向とは、図２に示す前後方向と略一致する方向である。
【００２４】
（露光ユニット）
次に、光プリントヘッド１０５を含む露光ユニット５００について説明する。ここで、電子写真方式の画像形成装置に採用される露光方式の一例として、半導体レーザの照射ビームを回転するポリゴンミラーなどで走査しｆ−θレンズ等を介して感光ドラムを露光するレーザビーム走査露光方式がある。本実施例で説明する「光プリントヘッド１０５」は、感光ドラム１０３の回転軸線方向に沿って配列されたＬＥＤ等の発光素子を用いて感光ドラム１０３を露光するＬＥＤ露光方式に用いられるものであって、上記に言うレーザビーム走査露光方式には用いられない。
【００２５】
本実施例で説明する露光ユニット５００は、感光ドラム１０３の回転軸線よりも鉛直方向下側に設けられており、光プリントヘッド１０５が有するＬＥＤ５０３が感光ドラム１０３を下方から露光する。ただし、露光ユニット５００が感光ドラム１０３の回転軸線よりも鉛直方向上側に設けられ、感光ドラム１０３を上方から露光する構成でも構わない（図１（ｂ）参照）。図３は、本実施例の画像形成装置１が備える露光ユニット５００の概略斜視図である。
【００２６】
図３より、露光ユニット５００は、光プリントヘッド１０５と移動機構６４０とを備える。光プリントヘッド１０５は、レンズアレイ５０６と支持部７０５と基板５０２（図３では不図示）を保持する保持体５０５と、第１当接部材５１４と、第２当接部材５１５とを備える。
【００２７】
第１当接部材５１４と第２当接部材５１５とがドラムユニット５１８に突き当たることでレンズアレイ５０６と感光ドラム１０３との間に間隙が形成され、画像形成時の光プリントヘッド１０５の位置が決まる。移動機構６４０は、第１リンク機構８６１と第２リンク機構８６２を備える。不図示のカバー５５８の開閉動作に連動して第１リンク機構８６１と第２リンク機構８６２とが駆動し、光プリントヘッド１０５が上下に移動する。ドラムユニット５１８の枠体のうち当接部材（５１４、５１５）が突き当たる部分には、例えばこれら当接部材（５１４、５１５）の先端が５ｍｍ程度嵌まる嵌合孔が設けられている。これにより、光プリントヘッド１０５は感光ドラム１０３に対して正確に位置決めされる。
【００２８】
光プリントヘッド１０５の構造を説明するにあたり、まず保持体５０５について説明する。保持体５０５は、後述する基板５０２とレンズアレイ５０６を保持するホルダーである。詳しくは後述するが、レンズアレイ５０６は保持体５０５が備える支持部７０５によって、感光ドラム１０３の回転軸線方向に亘って支持されている。本実施例においては、光プリントヘッド１０５自体の軽量化やコスト低減の観点から、保持体５０５の材質に樹脂を採用しているが、金属製でも構わない。
【００２９】
次に、保持体５０５に保持される基板５０２について説明する。図４（ａ）は基板５０２の概略斜視図である。図４（ｂ１）は基板５０２に実装されているＬＥＤチップ６３９を説明するための図である。図４（ｂ２）は図４（ｂ１）の拡大図であって、ＬＥＤチップ６３９が備える複数のＬＥＤ５０３（発光素子の一例）を示す図である。
【００３０】
図４（ａ）に示すように、基板５０２の一方の面にはＬＥＤチップ６３９が設けられ、他方の面（発光素子が並べられている側とは反対側の面）には長尺のコネクタ５０４が設けられている。当該コネクタ５０４は、その長手方向が基板５０２の長手方向に沿うように基板５０２の下側の面に取り付けられている。基板５０２には各ＬＥＤチップ６３９に信号を供給するための配線が設けられている。コネクタ５０４には、ケーブルの一例としてのフレキシブルフラットケーブル（ＦＦＣ）（不図示）の一端が接続される。画像形成装置１本体には、制御部とコネクタとを備える基板が設けられている。ＦＦＣの他端は、当該コネクタに接続されている。すなわち、ＦＦＣは制御部と基板５０２とを電気的に接続している。基板５０２には、画像形成装置１本体の制御部からＦＦＣおよびコネクタ５０４を介して制御信号（駆動信号）が入力される。ＬＥＤチップ６３９は、基板５０２に入力された制御信号によって駆動される。
【００３１】
基板５０２に実装されたＬＥＤチップ６３９についてさらに詳しく説明する。図４（ｂ１）および図４（ｂ２）に示すように、基板５０２の一方の面には複数のＬＥＤ５０３が配置された複数のＬＥＤチップ６３９−１〜６３９−２９（２９個）が配列されている。各ＬＥＤチップ６３９−１〜６３９−２９はそれぞれ、その長手方向に５１６個のＬＥＤ５０３が一列に配列されている。ＬＥＤチップ６３９の長手方向において、隣り合うＬＥＤ５０３の中心間距離ｋ２は画像形成装置１の解像度に対応している。本実施例の画像形成装置１の解像度は１２００ｄｐｉであるので、ＬＥＤチップ６３９−１〜６３９−２９は。基板５０２の長手方向において、ＬＥＤ５０３は隣接するＬＥＤ５０３の中心間距離が２１．１６μｍとなるように一列に配列されている。そのため、本実施例の光プリントヘッド１０５の露光範囲は約３１４ｍｍとなる。感光ドラム１０３の感光層は３１４ｍｍ以上の幅で形成されている。Ａ４サイズの記録紙の長辺の長さおよびＡ３サイズの記録紙の短辺の長さは２９７ｍｍであるため、本実施例の光プリントヘッド１０５は、Ａ４サイズの記録紙およびＡ３サイズの記録紙に画像形成可能な露光範囲を有している。
【００３２】
ＬＥＤチップ６３９−１から６３９−２９は、感光ドラム１０３の回転軸線方向に沿って二列となるよう交互に配置されている。すなわち、図４（ｂ１）に示すように、左側から数えて奇数番目のＬＥＤチップ６３９−１、６３９−３、・・・６３９−２９が基板５０２の長手方向に一列に実装され、偶数番目のＬＥＤチップ６３９−２、６３９−４、・・・６３９−２８が基板５０２の長手方向に一列に実装されている。ＬＥＤチップ６３９をこのように配置することで、図４（ｂ２）に示すように、ＬＥＤチップ６３９の長手方向において、隣り合う異なるＬＥＤチップ６３９における一方のＬＥＤチップ６３９の一端と他方のＬＥＤチップ６３９の他端とに配置されたＬＥＤの中心間距離ｋ１を一つのＬＥＤチップ６３９上における隣り合うＬＥＤ５０３の中心間距離ｋ２と等しくすることができる。なお、本実施例では露光光源にＬＥＤ５０３を用いる構成を例示するが、露光光源として有機ＥＬ（Ｏｒｇａｎｉｃ  Ｅｌｅｃｔｒｏ  Ｌｕｍｉｎｅｓｃｅｎｃｅ）を用いても構わない。
【００３３】
次に、レンズアレイ５０６について説明する。図４（ｃ１）はレンズアレイ５０６を感光ドラム１０３側から見た時の概略図である。また、図４（ｃ２）はレンズアレイ５０６の概略斜視図である。図４（ｃ１）に示すように、複数のレンズが複数のＬＥＤ５０３の配列方向に沿って二列に並べられている。各レンズは、一方の列のレンズの配列方向において隣り合う２つのレンズの両方に接するように他方の列のレンズの１つが配置されるよう交互に配置されている。各レンズは、円柱状の硝子製のロッドレンズである。なお、レンズの材質は硝子製に限らず、プラスチック製でも構わない。レンズの形状についても円柱状に限らず、例えば六角柱等の多角柱でも構わない。
【００３４】
図４（ｃ２）に示す点線Ｚはレンズの光軸を示す。光プリントヘッド１０５は移動機構６４０によって点線Ｚで示すレンズの光軸に概ね沿った方向（上下方向）に移動可能である。ここで言うレンズの光軸とは、レンズの光出射面の中心と当該レンズの焦点とを結ぶ線を意味する。ＬＥＤ５０３から出射された放射光はレンズアレイ５０６が備えるレンズに入射する。レンズは入射した放射光を感光ドラム１０３の表面上に集光させる機能を有する。レンズアレイ５０６は、ＬＥＤ５０３の発光面とレンズの光入射面との距離と、レンズの光出射面と感光ドラム１０３の表面との距離と、が略等しくなるように光プリントヘッド１０５の組み立て時において、保持体５０５（図３参照）に対する取付位置が調整され、保持体５０５に接着剤にて接着される。
【００３５】
（光プリントヘッドの組み立て方法）
次に、図５から図８を用いて、保持体５０５への基板５０２の取り付け方法および保持体５０５へのレンズアレイ５０６の取り付け方法について詳しく説明する。
【００３６】
まず、保持体５０５へのレンズアレイ５０６の取り付け方法について説明する。図５（ａ）は、基板５０２およびレンズアレイ５０６を不図示とした保持体５０５の前側を下側から見た図である。図５（ａ）に示すように、保持体５０５には、貫通孔９０６が保持体５０５の前後方向に亘って形成されている。複数のＬＥＤ５０３から出射された光は当該貫通孔９０６を通過する。言い換えれば、保持体５０５には、レンズアレイ５０６が嵌まる貫通孔９０６が設けられている。詳細は後述するが、レンズアレイ５０６は、当該貫通孔９０６に挿入され、保持体５０５に対する取り付け位置の調整がなされたうえで、保持体５０５に固定される。レンズアレイ５０６と保持体５０５との固定には接着剤９０７が用いられる。レンズアレイ５０６と保持体５０５との境界部分に接着剤９０７が塗付され、レンズアレイ５０６が保持体５０５に接着固定される。
【００３７】
図５（ｂ１）は保持体５０５（レンズアレイ５０６は不図示）の前側の概略斜視図である。また、図５（ｂ２）は保持体５０５（レンズアレイ５０６は不図示）を感光ドラム１０３の回転軸線方向に垂直な面で切断した断面図を前側から見た図である。また、図５（ｃ１）はレンズアレイ５０６が接着固定された保持体５０５の前側の概略斜視図、図５（ｃ２）はレンズアレイ５０６が接着固定された保持体５０５を感光ドラム１０３の回転軸線方向に垂直な面で切断した断面図を前側から見た図である。図５（ｂ１）および（ｂ２）に示すように、保持体５０５の上側にはレンズアレイ５０６が取り付けられる支持部７０５が形成されている。支持部７０５は第１対向部７０１と第２対向部７０２とを備える。第１対向部７０１と第２対向部７０２とは貫通孔９０６の縁に沿って前後方向に亘って形成されている。また、第１対向部７０１と第２対向部７０２は、レンズアレイ５０６が挿入される間隙を形成するために、貫通孔９０６を介して左右方向に関して対向している。第１対向部７０１は貫通孔９０６に挿入されたレンズアレイ５０６の右側壁面が対向する第１対向面５０７を備え、第２対向部７０２は貫通孔９０６に挿入されたレンズアレイ５０６の左側壁面が対向する第２対向面５０８を備える。レンズアレイ５０６が貫通孔９０６に挿入されていない状態において、第１対向面５０７と第２対向面５０８とは左右方向に関して対向している。ここで、レンズアレイ５０６の右側壁面は、感光ドラム１０３の回転軸線方向とレンズの光軸方向との双方に垂直な方向におけるレンズアレイ５０６の一方側の側壁面を意味し、レンズアレイ５０６の左側壁面は、感光ドラム１０３の回転軸線方向とレンズの光軸方向との双方に垂直な方向におけるレンズアレイ５０６の他方側の側壁面を意味する。
【００３８】
貫通孔９０６に挿入されたレンズアレイ５０６は、その一部が支持部７０５から上側に突出した状態で支持部７０５に接着固定される。第１対向面５０７の上側には、上側に向かうに従い右方向外側に傾斜した第１傾斜面７０３が設けられている。また、第２対向面５０８の上側には、上側に向かうに従い左方向外側に傾斜した第１傾斜面７０３および第２傾斜面７０４が設けられている。レンズアレイ５０６と保持体５０５の支持部７０５との接着は、レンズアレイ５０６が貫通孔９０６に挿入された状態において、第１傾斜面７０３および第２傾斜面７０４に接着剤９０７が塗付されることにより行われる。このように、接着剤９０７が塗付される面が下側に向かうに従ってレンズアレイ５０６の両側壁面（右側壁面と左側壁面）に近付くように傾斜していることで、塗付された接着剤９０７が自重により第１傾斜面７０３（第２傾斜面７０４）をつたってレンズアレイ５０６に向けて流れていく。よって、レンズアレイ５０６と支持部７０５とが容易に接着される。
【００３９】
図５（ｄ）は、第１傾斜面７０３と第１対向面５０７との間に第１底面部７１５が設けられ、第２傾斜面７０４と第２対向面５０８との間に第２底面部７１６が設けられた構成を説明するための図である。第１底面部７１５はレンズの光軸方向に略垂直な面であって、第１対向面５０７と第１傾斜面７０３と連続した面である。また、第２底面部７１６もレンズの光軸方向に垂直な面であって、第２対向面５０８と第２傾斜面と連続した面である。レンズアレイ５０６が貫通孔９０６に挿入された状態において、第１底面部７１５および第２底面部７１６に接着剤９０７が塗付されることで、レンズアレイ５０６と支持部７０５とが接着固定される。このように、第１底面部７１５および第２底面部７１６を設けることで、これらを設けない場合と比べて、接着剤９０７を流し込むことが可能なスペースが広くなるため、容易に接着剤９０７を流し込むことが出来る。
【００４０】
次に、保持体５０５への基板５０２の取り付け方法について図５（ａ）および（ｂ２）を用いて説明する。保持体５０５の下側には、基板５０２を挿入するための開口９０８が形成されている。保持体５０５は、基板５０２が保持体５０５の下側から開口９０８に挿入されていくと、基板５０２の一部が当接する第１被当接部９１１Ａと第２被当接部９１１Ｂとを備える。第１被当接部９１１Ａは第１対向部７０１に形成された第１対向面９０１の直上に形成され、第２被当接部９１１Ｂは第２対向部７０２に形成された第２対向面９０２の直上に形成されている。基板５０２が、保持体５０５の下側から開口９０８に挿入されると、基板５０２の右側の上面が第１被当接部９１１Ａに当接し、基板５０２の左側の上面が第２被当接部９１１Ｂに当接する。これにより、保持体５０５に対する基板５０２の取り付け位置が決まる。
【００４１】
保持体５０５に対する取り付け位置が決まった基板５０２は、第１被当接部９１１Ａと第２被当接部９１１Ｂとの双方に当接した状態で、基板５０２と第１対向面９０１との境界面および基板５０２と第２対向面９０２との境界面に接着剤９０７が塗付され、保持体５０５に接着固定される。
【００４２】
次に、図６（ａ）〜（ｃ）を用いて、レンズアレイ５０６が保持体５０５に取り付けられる際における、レンズアレイ５０６の保持体５０５に対する取り付け位置の調整方法について説明する。図６（ａ）〜（ｃ）は、レンズアレイ５０６が貫通孔９０６に挿入された状態の保持体５０５を左側から見た模式図である。
【００４３】
図６（ａ）は、本実施例における保持体５０５の模式図である。図６（ａ）より、支持部７０５の前側の端部から後側の端部までの距離は、レンズアレイ５０６の前側の端部から後側の端部までの距離よりも短い。これにより、保持体５０５の貫通孔９０６に挿入されたレンズアレイ５０６は、前側及び後側が支持部７０５から露出する（露出部９１２）。
【００４４】
基板５０２に設けられたＬＥＤ５０３の光出射点から出射されたＬＥＤ５０３の光が入射するレンズアレイ５０６の入射面までの距離をｋとしたとき、距離ｋに対応するレンズアレイ５０６の焦点距離の値はレンズの製作完成時に決定する。その値は製作誤差等を考慮すると全てのレンズで同じ値になるとは言い難い。したがって、光プリントヘッド１０５の組み立て時に、ＬＥＤ５０３の光出射点からレンズアレイ５０６の入射面までの距離が適切な距離となるように、レンズアレイ５０６の取り付け位置を調整する必要がある。そこで、前述したレンズアレイ５０６の露出部９１２が、例えば組立装置等の把持機構に把持され、保持体５０５の貫通孔９０６に挿入された状態で、取り付け位置が調整される。本実施例に係る実施の形態では、支持部７０５上端からのレンズアレイ５０６の突出長さ（図６（ａ）におけるｘ［ｍｍ］）は約２ｍｍである。一方、保持体５０５の上端からの露出部９１２の突出長さ（図６（ａ）におけるｙ［ｍｍ］）は４．３ｍｍである。露出部９１２の存在により、レンズアレイ５０６を把持することが出来る領域が広くなるため、確実にレンズアレイ５０６を把持することが出来る。
【００４５】
以上の説明を基に、光プリントヘッド１０５の組み立て方法についてまとめる。まず、レンズアレイ５０６の露出部９１２が組立装置等の把持機構によって、左右方向から挟持される（把持工程）。把持機構によって挟持されたレンズアレイ５０６は、保持体５０５の貫通孔９０６に上側から挿入される（配置工程）。この時、露出部９１２は支持部７０５の前後両端から露出するため、把持機構と保持体５０５とが接触することはない。次に、レンズアレイ５０６が貫通孔９０６に挿入された状態で、基板５０２が被当接部９１１Ａ（９１１Ｂ）に当接され、ＬＥＤ５０３が発光する。レンズアレイ５０６を通過した光を受光装置等によって受光し（受光工程）、その受光結果に基づいてレンズアレイ５０６を上下方向に移動させながら、レンズアレイ５０６と保持体５０５と位置関係を調整する（調整工程）。調整終了後、接着剤９０７によってレンズアレイ５０６と保持体５０５とが接着固定される。なお、基板５０２を被当接部９１１Ａ（９１１Ｂ）に当接させる工程は、配置工程よりも前でも構わない。
【００４６】
露出部９１２は図６（ａ）に示す部分に限らず、図６（ｂ）に点線で示す部分でも良い。図６（ｂ）は、支持部７０５の前後両端側が階段状になっており、端部に近いほど支持部７０５の上面が感光ドラム１０３から離れている。このような構成にすることで、支持部７０５の前後両端側においてレンズアレイ５０６の一部が露出する（露出部９２２）。当該露出部９２２が、組立装置等の把持機構によって左右方向から把持され、レンズアレイ５０６の保持体５０５への取り付け位置が微調整され、調整後に接着剤９０７によってレンズアレイ５０６と保持体５０５とが接着固定される。
【００４７】
また、図６（ｃ）は、支持部７０５の上側の面において左右方向に凹部が形成された構成である。このような構成とすることで、図６（ｃ）に示すように、レンズアレイ５０６の左右両側の側壁面が当該凹部から露出する（露出部９３２）。当該露出部９３２が、組立装置等の把持機構によって左右方向から把持され、レンズアレイ５０６の保持体５０５への取り付け位置が微調整され、調整後に接着剤９０７によってレンズアレイ５０６と保持体５０５とが接着固定される。
【００４８】
（清掃機構）
画像形成装置１において、光プリントヘッド１０５のような露光手段は帯電器１０４と現像器１０６との間に設けられる。そのため、レンズアレイ５０６の光出射面が感光ドラム１０３や現像器１０６から落下したトナーによって汚れることがある。レンズアレイ５０６の汚れは、発光素子から出射される光を部分的に遮光する虞があり、出力画像の画質低下を生む一原因となり得る。よって、光プリントヘッド１０５の光出射面は定期的に清掃されることが望ましい。
【００４９】
図７（ａ）は、レンズアレイ５０６の清掃に用いられる棒状の清掃部材５７２の概略斜視図である。ここで、図７（ａ）に示すように、清掃部材５７２の長手方向および短手方向、先端側および後端側を定義する。清掃部材５７２は、その後端側に把持部５７５を備える。後述するが、清掃部材５７２の先端側であって、清掃部材５７２の下側には摺擦部５７４（不図示）が設けられている。また、清掃部材５７２は、その後端側において、把持部５７５より先端側にストッパー５８２を備える。当該ストッパー５８２は、清掃部材５７２から突出した突起で、摺擦部５７４（不図示）が設けられている側とは反対側に設けられている。
【００５０】
図７（ｂ）は、清掃部材５７２が、保持体５０５の前側に設けられた差し込み部７００に差し込まれた状態を示す。清掃部材５７２が差し込み部７００に差し込まれた状態において、清掃部材５７２の長手方向と感光ドラム１０３の回転軸線方向とは、略等しい方向となる。作業者は、把持部５７５を把持して清掃部材５７２を操作（差し込み部７００に対して抜き差し）し、レンズアレイ５０６の光出射面を清掃する。なお、作業者が清掃部材５７２を画像形成装置１本体の外側から差し込み部７００に差し込み、装置本体の前側から後側へと向かう方向（差し込み部７００から後述の第１被係合部５７９へと向かう方向）に移動させていくと、ストッパー５８２が、差し込み部７００に設けられた被当接部７７７に突き当たり、清掃部材５７２の移動が制限される。なお、本実施例に係る実施の形態において、差し込み部７００は保持体５０５の前側に設けられているが、保持体５０５に限らず、例えばドラムユニット５１８の前側の端部など、レンズアレイ５０６よりも感光ドラム１０３の回転軸線方向における画像形成装置１本体の前側（一方側）に固定されていれば構わない。また、本実施例において、差し込み部７００は前後方向に貫通した開口であるが、例えば開口の上部に切り欠きがあるなどしても構わず、図７（ａ）に示すような孔である必要はない。
【００５１】
差し込み部７００の開口は、清掃部材を清掃部材５７２の長手方向に垂直な方向で切断した断面よりも一回り大きい開口である。清掃部材５７２は、差し込み部７００に差し込まれた状態で、差し込み部７００に対して約０．５〜１ｍｍ程度、清掃部材５７２の長手方向に対して垂直な方向に揺動可能である。このように、差し込み部７００に差し込まれた清掃部材５７２は、差し込み部７００に対して若干の遊びがある。この遊びにより、作業者によって差し込み部７００に差し込まれ操作される清掃部材５７２と、差し込み部７００との接触に起因する摩擦力が抑制される。
【００５２】
図８（ａ）に清掃部材５７２の先端側を下側から見た図を示す。図８（ｂ）に清掃部材５７２を感光ドラム１０３の回転軸線方向に垂直な面で切断した断面図を示す。図８（ａ）及び図８（ｂ）に示すように、清掃部材５７２は、摺擦部５７４と、係合部５７６と、下側凸部５７７と、上側凸部５７８とを備える。
【００５３】
摺擦部５７４は、清掃部材５７２の先端側の下側に設けられている。摺擦部５７４は、例えば、綿やナイロン、ポリエステル等の繊維で構成された不織布であり、レンズアレイ５０６の光出射面に落下したトナー等の汚れを拭き取り清掃する。なお、摺擦部５７４は不織布に限らず、例えばスポンジやエラストマーのようなゴム製の弾性変形可能なブレードであって、レンズアレイ５０６の光出射面に落下したトナー等の汚れを掻き取ることで清掃しても構わない。
【００５４】
係合部５７６は、摺擦部５７４がレンズアレイ５０６の光出射面に接触するように、清掃部材５７２と保持体５０５とを係合させる機能を有する。係合部５７６は、清掃部材５７２の先端側において清掃部材５７２の左右両側それぞれから下側に向けて突出した突起である。更に、それぞれの突起の先端は内側に折り曲げられた形状を成している。作業者が清掃部材５７２を差し込み部７００に差し込んでいくと、当該係合部５７６が凸部５８０によって形成された間隙５７９（溝、第１被係合部の一例。以下、第１被係合部と記載する。）に係合する。係合部５７６は第１被係合部５７９に係合した状態で、清掃部材５７２と共に第１被係合部５７９の長手方向に沿って移動可能である。
【００５５】
下側凸部５７７は、作業者によって清掃部材５７２が差し込み部７００に差し込まれた際、保持体５０５の上側に対向するように、清掃部材５７２の長手方向に沿って清掃部材５７２に形成されている。当該下側凸部５７７が保持体５０５の凸部５８０の上側に接触することで、レンズアレイ５０６の光出射面と清掃部材５７２との間に間隙が形成される。これにより、清掃部材５７２の下側のうち摺擦部５７４以外の部分がレンズアレイ５０６に接触することはない。そのため、作業者による清掃部材５７２の操作によってレンズアレイ５０６の光出射面が損傷することを防ぐことが出来る。
【００５６】
図９（ａ）は保持体５０５に形成された案内部９１８の拡大斜視図である。また、図９（ｂ）及び図９（ｃ）は案内部９１８の機能について説明する図である。案内部９１８は、支持部７０５よりも前側において保持体５０５の上側に形成されている。案内部９１８は、前後方向（感光ドラム１０３の回転軸線方向）に関して支持部７０５の前側と間隙をあけて保持体５０５の前側に設けられている。そのため、保持体５０５に対するレンズアレイ５０６の取り付け位置の調整時、露出部９１２を把持した把持機構が案内部９１８と緩衝することはない。
【００５７】
案内部９１８は、例えば図９（ａ）に示すように、その左右両側から突出した凸部９１９を上部に有する。これにより、凸部９１９と保持体５０５の上面との間に間隙９２０（溝、第２被係合部の一例。以下、第２被係合部と記載する。）が形成される。作業者によって清掃部材５７２が差し込み部７００に差し込まれていくと、係合部５７６が第２被係合部９２０に向けて進行する。本実施例に係る差し込み部７００は、その孔の前後方向の全長が約４０ｍｍある。差し込み部７００の後側の端部から案内部９１８に形成された凸部９１９の前側の端部までの距離は約３６ｍｍである。差し込み部７００の孔の前後方向の全長が約４０ｍｍあるため、差し込み部７００に差し込まれた清掃部材５７２は感光ドラム１０３の回転軸線方向に対して垂直な方向への移動がある程度制限される。なお、ここで言う、「感光ドラム１０３の回転軸線方向」は、作業者によって清掃部材５７２が差し込み部７００に差し込まれ移動される方向と略等しい方向である。
【００５８】
作業者は、清掃部材５７２に形成された係合部５７６を容易に第２被係合部９２０に嵌めることが出来る。係合部５７６と凸部９１９とは上下方向にかみ合い、係合部５７６と第２被係合部９２０とが係合状態となる。凸部９１９は案内部９１８の前後方向に延びて形成されているため、凸部９１９と保持体５０５の上面との間に形成される第２被係合部９２０も前後方向（感光ドラム１０３の回転軸線方向）に延びて形成される。第２被係合部９２０の前後方向の全長は約８．７ｍｍである。係合部５７６と第２被係合部９２０とが係合状態となることで、作業者によって移動される清掃部材５７２の移動方向は、感光ドラム１０３の回転軸線方向となるように第２被係合部９２０によって規制される。
【００５９】
ここで、仮に第２被係合部９２０が存在しなかった場合、すなわち画像形成装置１が案内部９１８を備えない構成であった場合を考える。前に述べたように、差し込み部７００に差し込まれた清掃部材５７２と差し込み部７００との間には若干の遊び（約０．５〜１ｍｍ程度）がある。そのため、清掃部材５７２は差し込み部７００に差し込まれた状態であっても、清掃部材５７２の長手方向に垂直な方向に揺動可能である。清掃部材５７２は作業者の手作業によって操作されることを考慮すると、差し込み部７００に差し込まれた清掃部材５７２と差し込み部７００との間に遊びがあるが為に、清掃部材５７２は様々な移動経路を取り得る可能性がある。すなわち、差し込み部７００と第１被係合部５７９との間が離れていれば離れているほど、作業者は清掃部材５７２を第１被係合部５７９に係合させることが困難となる。
【００６０】
第２被係合部９２０の長手方向延長線上には支持部７０５に設けられた凸部５８０と保持体５０５の上面との間に形成された第１被係合部５７９が位置する。すなわち、第１被係合部５７９と第２被係合部９２０は同一直線上に存在する。凸部９１９の後側の端部から凸部５８０の前側の端部までの距離は約６．５ｍｍである。第１被係合部５７９は、前後方向に関して第２被係合部９２０と間隙をあけて支持部７０５に形成されている。係合部５７６が第２被係合部９２０に係合した状態で、清掃部材５７２が更に画像形成装置１本体の後方（差し込み部７００から第１被係合部５７９へ向かう方向）に向けて移動されると、係合部５７６は第２被係合部９２０を抜けた後、凸部５８０と保持体５０５の上面との間に形成された第１被係合部５７９に嵌まる。そして、係合部５７６と凸部５８０とが上下方向にかみ合い、係合部５７６と第１被係合部５７９とが係合状態となる。すなわち、差し込み部７００と第１被係合部５７９との間に設けられた第２被係合部９２０によって、差し込み部７００に差し込まれた清掃部材５７２の移動が案内され、清掃部材５７２が第１被係合部５７９に係合する。係合部５７６と第１被係合部５７９とが係合状態にあり、摺擦部５７４がレンズアレイ５０６の上方に位置する時、摺擦部５７４は当該レンズアレイ５０６の光出射面と接触している。また、第１被係合部５７９は感光ドラム１０３の回転軸線方向における保持体５０５の他端側から一端側（支持部７０５の他端側から一端側）に亘って形成されている。そのため、係合部５７６と第１被係合部５７９とが係合状態にある場合に、清掃部材５７２が作業者によって操作されると、レンズアレイ５０６の光出射面は摺擦部５７４によって確実に清掃される。なお、作業者によって清掃部材５７２が差し込み部７００に差し込まれ、係合部５７６が第１被係合部５７９に係合するまでの過程において、係合部５７６は第２被係合部９２０との係合が完全に解除されてから第１被係合部５７９と係合しても構わないし、第２被係合部９２０に係合した状態で第１被係合部５７９に係合しても構わない。
【００６１】
また、案内部９１８に形成された凸部９１９の前側の端部には、前側に向かうにつれて上方に傾斜した傾斜部９２６が形成されている。当該傾斜部９２６は、第１被係合部５７９が差し込み部７００に近付くほど第１被係合部５７９の幅が広がるように傾斜している。これにより、作業者によって差し込み部７００に差しこまれた清掃部材５７２は、係合部５７６が第２被係合部９２０内に進行するように、その先端が傾斜部９２６によって誘い込まれる。よって、作業者はより容易に清掃部材５７２の係合部５７６と第２被係合部９２０とを係合させることが出来る。
【００６２】
図１０は案内部９１８を不図示とした光プリントヘッド１０５の前側の概略斜視図である。図１０に示すように、保持体５０５の上側には、感光ドラム１０３の回転軸線方向に延び、右側および左側（感光ドラム１０３の回転軸線方向とレンズの光軸方向とに交差する方向の双方）に突出した凸部５８０を備えており、凸部５８０は保持体５０５の上面との間に第１被係合部５７９を形成している。
【００６３】
凸部５８０の前側の端部には、図１０において色付きで示す傾斜部５８１が形成されている。当該傾斜部５８１は、第１被係合部５７９が第２被係合部９２０に近付くほど第１被係合部５７９の幅が広がるように傾斜している。これにより、作業者によって第２被係合部９２０に係合した状態から第１被係合部５７９に向けて移動してくる清掃部材５７２は、係合部５７６が第１被係合部５７９内に進行するように、その先端が傾斜部５８１によって誘い込まれる。よって、作業者はより容易に清掃部材５７２の係合部５７６と第１被係合部５７９とを係合させることが出来る。
【００６４】
また、案内部９１８が備える第２被係合部９２０の溝の幅の方が第１被係合部５７９の溝の幅よりも広い。すなわち、差し込み部７００に差し込まれ、差し込み部７００から第１被係合部５７９へと向かう方向に移動される清掃部材５７２は、第２被係合部９２０に緩く係合した状態で第１被係合部５７９に係合する。
【００６５】
（比較例）
図１１は、本発明との比較例として、レンズアレイ５０６の前側の端部が支持部７０５の前側の端部から露出していない構成（例えば図６（ｃ）の構成）である。斯かる構成の場合、本実施例の第１被係合部５７９に相当する間隙９５３を可能な限り保持体９５８の前側まで設けることが出来る。
【００６６】
図１１（ａ）に示す光プリントヘッド９６３は、保持体９５８と、レンズアレイ９５２と、支持部９５５とを備える。支持部９５５は保持体９５８の長手方向に亘って形成されており、レンズアレイ９５２を左右方向から支持している。また、支持部９５５には、支持部９５５の長手方向に亘って間隙９５３が形成されている。この間隙９５３には、差し込み部９６０に差し込まれた清掃部材９７１の係合部９７３が嵌まる。これにより摺擦部９７２を確実にレンズアレイ９５２の光出射面に接触させることが出来る。支持部９５５を保持体９５８の前側の端部まで設けることにより、差し込み部９６０と支持部９５５に形成された間隙９５３との距離を短くすることが出来る。そのため、作業者は、清掃部材９７１を差し込み部９６０に差し込んだ後、容易に係合部９７３を間隙９５３に嵌めることが出来る。
【００６７】
ところで、レンズアレイ９５２の前側の端部は、画像形成に使用される領域である画像形成領域９５７の前側の端部よりも前側であれば十分である。図１１（ａ）に示す光プリントヘッド９６３の場合、図中の点線で囲んだ支持部９５６の領域は間隙９５３を可能な限り保持体９５８の前側まで設けたいがために形成された領域であって、レンズアレイ９５２の支持には関与しない。すなわち、図１１（ｂ）に示すように、レンズアレイ９５２の前側の端部が支持部９５６の前側の端部から露出していなくとも、案内部９１８を設けることで、図１１（ａ）にて点線で囲んだ部分を設ける必要が無くなる。これにより、支持部９５５の成形に必要な材料コストを抑えることが出来る。
【符号の説明】
【００６８】
５０５  保持体
５０６  レンズアレイ
５７２  清掃部材
５７９  間隙（第１被係合部）
５８０  凸部
７００  差し込み部
９１８  案内部
９１９  凸部
９２０  間隙（第２被係合部）
９２６  傾斜部
【図１】
2019098709.tif 000003
【図２】
2019098709.tif 000004
【図３】
2019098709.tif 000005
【図４】
2019098709.tif 000006
【図５】
2019098709.tif 000007
【図６】
2019098709.tif 000008
【図７】
2019098709.tif 000009
【図８】
2019098709.tif 000010
【図９】
2019098709.tif 000011
【図１０】
2019098709.tif 000012
【図１１】
2019098709.tif 000013